(57)【要約】【課題】船外機用エンジンを小型かつ軽量にできるようにし、また、構成を簡単にできるようにする。【解決手段】船外機用エンジン１２は、一端部１８が被動部１０側に連結されるクランク軸１７と、このクランク軸１７の他端部１９から軸方向の外方に向かって突出し、このクランク軸１７と共に軸心１６回りに回転する突出体２０と、この突出体２０の突出端部側２１に締結具２２により固着されるフライホイール２３と、軸心１６上で突出体２０の基部側３５に固着され、この突出体２０に動弁機構２４を連動させるよう無端状動伝ベルト２６が巻き掛けられる駆動プーリ２７とを備える。突出体２０の軸方向で、締結具２２と駆動プーリ２７とを互いに偏位させる。突出体２０の基部側３５に駆動プーリ２７を一体的に形成する。【選択図】図１
2007285177.tif 000002
【特許請求の範囲】
【請求項１】
一端部が被動部側に連結されるクランク軸と、このクランク軸の他端部から軸方向の外方に向かって突出し、このクランク軸と共に軸心回りに回転する突出体と、この突出体の突出端部側に締結具により固着されるフライホイールと、上記軸心上で上記突出体の基部側に固着され、この突出体に動弁機構を連動させるよう無端状動伝ベルトが巻き掛けられる駆動プーリとを備えた船外機用エンジンにおいて、
上記突出体の軸方向で、上記締結具と駆動プーリとを互いに偏位させ、
上記突出体の基部側に上記駆動プーリを一体的に形成したことを特徴とする船外機用エンジン。
【請求項２】
一端部が被動部側に連結されるクランク軸と、このクランク軸の他端部から軸方向の外方に向かって突出し、このクランク軸と共に軸心回りに回転する突出体と、この突出体の突出端部側に締結具により固着されるフライホイールと、上記軸心上で上記突出体の基部側に固着され、この突出体に動弁機構を連動させるよう無端状動伝ベルトが巻き掛けられる駆動プーリとを備えた船外機用エンジンにおいて、
上記突出体の軸方向で、上記締結具と駆動プーリとを互いに偏位させ、
上記クランク軸に対し上記突出体を別体として、この突出体を上記クランク軸に固着したことを特徴とする船外機用エンジン。
【請求項３】
上記突出体の突出端部側をフランジとなるよう形成したことを特徴とする請求項１、もしくは２に記載の船外機用エンジン。
【請求項４】
上記締結具が、上記フランジに形成されて上記軸心と平行に延びるねじ孔に対し螺合されるボルトを備え、上記ねじ孔の径方向のほぼ全体を上記駆動プーリの外周面よりも径方向の外方に位置させたことを特徴とする請求項３に記載の船外機用エンジン。
【請求項５】
上記駆動プーリが窒化処理されていることを特徴とする請求項１から４のうちいずれか１つに記載の船外機用エンジン。
【発明の詳細な説明】
【技術分野】
【０００１】
本発明は、クランク軸の端部に固着されるフライホイールと、上記クランク軸に固着され、このクランク軸に動弁機構を連動させる駆動プーリとを備えた船外機用エンジンに関するものである。
【背景技術】
【０００２】
上記船外機用エンジンには、従来、下記特許文献１に示されるものがある。この公報のものによれば、上記エンジンは４サイクルであって、一端部が被動部側であるプロペラ側に連結されるクランク軸と、このクランク軸の他端部から軸方向の外方に向かって突出し、このクランク軸と共に軸心回りに回転する突出体と、この突出体の突出端部側に締結具により固着されるフライホイールと、上記軸心上で上記突出体の基部側に固着され、この突出体に動弁機構を連動させるよう無端状動伝ベルトが巻き掛けられる駆動プーリとを備えている。上記駆動プーリは、上記突出体とは別体に形成され、この突出体に外嵌されて固着されている。
【０００３】
上記エンジンの駆動時には、クランク軸に上記駆動プーリと無端状動伝ベルトとを介し動弁機構の従動プーリが連動して、この動弁機構の吸、排気カム軸が作動することにより所定の吸、排気が行われる。また、上記クランク軸に連動するフライホイールにより、上記クランク軸の回転変動が抑制されて、円滑な駆動が得られる。そして、このクランク軸の他端部から駆動力が上記プロペラ側に向けて出力される。すると、このプロペラが駆動させられて、船が推進させられる。
【特許文献１】特開２００４−１４７４３８号公報
【発明の開示】
【発明が解決しようとする課題】
【０００４】
ところで、上記従来の技術では、次のような問題点がある。
【０００５】
即ち、第１に、上記突出体には上記締結具のボルトを螺合させるねじ孔が形成されている。そして、上記突出体の軸方向で、この突出体において上記ねじ孔が形成された「部分」は、通常、所定の強度を確保する必要上、外径寸法が大きくされる。
【０００６】
ここで、上記従来の技術では、上記突出体の「部分」と、上記突出体に外嵌されて固着された駆動プーリとは、上記突出体の軸方向で互いに同じところに位置している。このため、上記突出体の「部分」に外嵌される駆動プーリの外径寸法は、前記したように突出体の「部分」の外径寸法が大きくされた分、より大きくなる。
【０００７】
しかも、上記駆動プーリと、この駆動プーリに無端状動伝ベルトを介し連動させられる従動プーリとの間の減速比は、上記エンジンが４サイクルであって、所定値（１／２）に定められる。このため、上記駆動プーリの外形寸法が大きくなると、その分、上記従動プーリの外径寸法も大きくなる。
【０００８】
上記の結果、上記エンジンが大型になり、かつ、重くなるという問題点があり、これは、特に操作性向上のため、小型化と軽量化とが求められる船外機用エンジンにとって好ましくない。
【０００９】
また、第２に、上記従来の技術では、突出体に対し駆動プーリが別体に設けられている。このため、上記エンジンの構成部品が多くなって、その構成が複雑になりがちである。
【課題を解決するための手段】
【００１０】
本発明は、上記のような事情に注目してなされたもので、本発明の目的は、船外機用エンジンを小型かつ軽量にできるようにし、また、構成を簡単にできるようにすることである。
【００１１】
請求項１の発明は、図１−３に例示するように、一端部１８が被動部１０側に連結されるクランク軸１７と、このクランク軸１７の他端部１９から軸方向の外方に向かって突出し、このクランク軸１７と共に軸心１６回りに回転する突出体２０と、この突出体２０の突出端部側２１に締結具２２により固着されるフライホイール２３と、上記軸心１６上で上記突出体２０の基部側３５に固着され、この突出体２０に動弁機構２４を連動させるよう無端状動伝ベルト２６が巻き掛けられる駆動プーリ２７とを備えた船外機用エンジンにおいて、
上記突出体２０の軸方向で、上記締結具２２と駆動プーリ２７とを互いに偏位させ、
上記突出体２０の基部側３５に上記駆動プーリ２７を一体的に形成したものである。
【００１２】
請求項２の発明は、図１，２，４に例示するように、一端部１８が被動部１０側に連結されるクランク軸１７と、このクランク軸１７の他端部１９から軸方向の外方に向かって突出し、このクランク軸１７と共に軸心１６回りに回転する突出体２０と、この突出体２０の突出端部側２１に締結具２２により固着されるフライホイール２３と、上記軸心１６上で上記突出体２０の基部側３５に固着され、この突出体２０に動弁機構２４を連動させるよう無端状動伝ベルト２６が巻き掛けられる駆動プーリ２７とを備えた船外機用エンジンにおいて、
上記突出体２０の軸方向で、上記締結具２２と駆動プーリ２７とを互いに偏位させ、
上記クランク軸１７に対し上記突出体２０を別体として、この突出体２０を上記クランク軸１７に固着したものである。
【００１３】
請求項３の発明は、全図に例示するように、請求項１、もしくは２の発明に加えて、上記突出体２０の突出端部側２１をフランジ４１となるよう形成したものである。
【００１４】
請求項４の発明は、全図に例示するように、請求項３の発明に加えて、上記締結具２２が、上記フランジ４１に形成されて上記軸心１６と平行に延びるねじ孔３１に対し螺合されるボルト３２を備え、上記ねじ孔３１の径方向のほぼ全体を上記駆動プーリ２７の外周面よりも径方向の外方に位置させたものである。
【００１５】
請求項５の発明は、全図に例示するように、請求項１から４のうちいずれか１つの発明に加えて、上記駆動プーリ２７が窒化処理されているものである。
【００１６】
なお、この項において、上記各用語に付記した符号は、本発明の技術的範囲を後述の「実施例」の項や図面の内容に限定解釈するものではない。
【発明の効果】
【００１７】
本発明による効果は、次の如くである。
【００１８】
請求項１の発明は、一端部が被動部側に連結されるクランク軸と、このクランク軸の他端部から軸方向の外方に向かって突出し、このクランク軸と共に軸心回りに回転する突出体と、この突出体の突出端部側に締結具により固着されるフライホイールと、上記軸心上で上記突出体の基部側に固着され、この突出体に動弁機構を連動させるよう無端状動伝ベルトが巻き掛けられる駆動プーリとを備えた船外機用エンジンにおいて、
上記突出体の軸方向で、上記締結具と駆動プーリとを互いに偏位させている。
【００１９】
このため、上記突出体の軸方向で、上記締結具が存在している上記突出体の「部分」につき、所定の強度を確保しようとして、その外径寸法を大きくしたとしても、この突出体の「部分」に影響されることなく、上記駆動プーリの外径寸法を定めることができる。よって、この駆動プーリと、この駆動プーリに無端状動伝ベルトを介し所定の減速比で連動させられる従動プーリとの各外径寸法をそれぞれ小さくさせることができる。この結果、エンジンの小型化と軽量化とができ、船外機用のエンジンとして極めて有益である。
【００２０】
また、上記突出体の基部側に上記駆動プーリを一体的に形成している。
【００２１】
このため、上記駆動プーリは突出体の基部側により、十分に補強される。よって、上記駆動プーリの肉厚を小さくできるため、上記エンジンの小型化と軽量化とが、より確実に達成される。
【００２２】
また、上記突出体と駆動プーリとを別体に構成していた従来の技術に比べて、エンジンの部品点数を少なくできる。よって、このエンジンの構成を簡単にすることができる。
【００２３】
請求項２の発明は、一端部が被動部側に連結されるクランク軸と、このクランク軸の他端部から軸方向の外方に向かって突出し、このクランク軸と共に軸心回りに回転する突出体と、この突出体の突出端部側に締結具により固着されるフライホイールと、上記軸心上で上記突出体の基部側に固着され、この突出体に動弁機構を連動させるよう無端状動伝ベルトが巻き掛けられる駆動プーリとを備えた船外機用エンジンにおいて、
上記突出体の軸方向で、上記締結具と駆動プーリとを互いに偏位させている。
【００２４】
このため、上記締結具が存在している上記突出体の「部分」につき、所定の強度を確保しようとして、その外径寸法を大きくしたとしても、この突出体の「部分」に影響されることなく、上記駆動プーリの外径寸法を定めることができる。よって、この駆動プーリと、この駆動プーリに無端状動伝ベルトを介し所定の減速比で連動させられる従動プーリとの各外径寸法をそれぞれ小さくさせることができる。この結果、エンジンの小型化と軽量化とができ、船外機用のエンジンとして極めて有益である。
【００２５】
また、上記クランク軸に対し上記突出体を別体として、この突出体を上記クランク軸に固着している。
【００２６】
ここで、上記クランク軸の他端部や突出体の「部分」の外径寸法が、上記駆動プーリの外径寸法よりも大きい場合において、この駆動プーリの外面を回転工具などにより機械加工しようとすると、上記クランク軸の他端部や突出体の「部分」が上記工具の作動の邪魔になるおそれがある。
【００２７】
そこで、上記のようにクランク軸に対し突出体を別体としたのであって、上記機械加工は、上記クランク軸から突出体を離脱させた状態ですればよく、このようにすれば、上記機械加工は、少なくとも上記クランク軸が邪魔になるということを回避してすることができる。
【００２８】
よって、上記発明によれば、例えば、上記機械加工を可能とするために、突出体を軸方向に延長して、その延長部の径方向の外方に上記工具の作動空間を確保する、ということに比べ、上記突出体の長さを短く抑制できる。このため、エンジンが大型になるということや重くなるということを防止しつつ、上記機械加工が可能とされる。
【００２９】
なお、上記突出体に対し上記駆動プーリが別体である場合には、上記クランク軸から突出体を離脱させると共に、この突出体から駆動プーリを離脱させた状態で、上記機械加工をしてもよい。このようにすれば、この機械加工は、クランク軸と突出体の「部分」とが共に邪魔になるということを回避して、円滑にすることができる。
【００３０】
請求項３の発明は、上記突出体の突出端部側をフランジとなるよう形成している。
【００３１】
このため、上記突出体の基部側やこの基部側に固着される駆動プーリの外径寸法を小さくしたままで、上記突出体の突出端部側を所望の大きさのフランジにすることができる。よって、エンジンの小型化かつ軽量化ができると共に、上記突出体の突出端部側に対するフライホイールの固着強度を十分に確保できる。
【００３２】
請求項４の発明は、上記締結具が、上記フランジに形成されて上記軸心と平行に延びるねじ孔に対し螺合されるボルトを備え、上記ねじ孔の径方向のほぼ全体を上記駆動プーリの外周面よりも径方向の外方に位置させている。
【００３３】
このため、回転工具であるドリルを用いて上記フランジにねじ孔を貫通するよう機械加工する場合に、上記ドリルが上記駆動プーリに干渉することは防止される。よって、上記機械加工が容易にできる。
【００３４】
請求項５の発明は、上記駆動プーリ２７が窒化処理されている。
【００３５】
このため、上記駆動プーリの強度が向上させられる。よって、その分、この駆動プーリの肉厚をより小さくできて、エンジンを、より小型化かつ軽量化できる。
【発明を実施するための最良の形態】
【００３６】
本発明の船外機用エンジンに関し、小型かつ軽量にできるようにし、また、構成を簡単にできるようにする、という目的を実現するため、本発明を実施するための最良の形態は、次の如くである。
【００３７】
即ち、船外機用エンジンは、一端部が被動部側に連結されるクランク軸と、このクランク軸の他端部から軸方向の外方に向かって突出し、このクランク軸と共に軸心回りに回転する突出体と、この突出体の突出端部側に締結具により固着されるフライホイールと、上記軸心上で上記突出体の基部側に固着され、この突出体に動弁機構を連動させるよう無端状動伝ベルトが巻き掛けられる駆動プーリとを備えている。上記突出体の軸方向で、上記締結具と駆動プーリとは互いに偏位させられている。また、上記突出体の基部側に上記駆動プーリが一体的に形成されている。
【実施例１】
【００３８】
本発明をより詳細に説明するために、その実施例１を添付の図１，２に従って説明する。
【００３９】
図２において、符号１は水２の表面に浮かべられる船である。また、矢印Ｆｒは、この船１の推進方向の前方を示している。
【００４０】
上記船１は、船体３と、この船体３の船尾４に支持される船外機５とを備えている。この船外機５は、上記船体３の後方に配置され、推進力を生じて上記船体３を推進可能とさせる船外機本体６と、この船外機本体６を船尾４に対し、着脱可能に支持させるブラケット７とを備えている。
【００４１】
上記船外機本体６は、縦方向に延びて、その上部が上記ブラケット７により船尾４に支持され、下部が水２に没入されるケース９と、このケース９の下端部に支持される被動部１０であるプロペラ１１と、上記ケース９の上面側に支持されて、上記プロペラ１１を駆動可能とする４サイクル内燃機関であるエンジン１２と、上記ケース９の上端部に支持され、上記エンジン１２をその外方から開閉可能に覆うカウリング１３とを備えている。
【００４２】
図１、２において、上記エンジン１２は、上記ケース９の上面側に支持されるクランクケース１５と、縦方向に延びる軸心１６回りに回転可能となるよう上記クランクケース１５に支持されるクランク軸１７とを備えている。このクランク軸１７の一端部（下端部）１８は、上記被動部１０側に連結される。そして、上記クランク軸１７から出力される駆動力により、上記被動部１０が回転駆動し、船１が推進させられる。
【００４３】
上記エンジン１２は、上記クランク軸１７の他端部（上端部）１９から軸方向の外方（上方）に向かって突出し、この他端部１９と共に上記軸心１６回りに回転する突出体２０と、この突出体２０の突出端部側２１の端面に締結具２２により固着されるフライホイール２３と、上記軸心１６上で上記突出体２０に固着され、この突出体２０に動弁機構２４の従動プーリ２５を連動させるよう無端状動伝ベルト２６が巻き掛けられる駆動プーリ２７とを備えている。
【００４４】
上記突出体２０は、上記軸心１６上に位置する軸形状とされ、上記クランク軸１７の他端部１９よりも径小とされている。また、上記締結具２２は、上記突出体２０の突出端部側２１に形成され上記軸心１６と平行に延びる複数のねじ孔３１に対し、フライホイール２３を貫通して螺合される複数のボルト３２を備えている。
【００４５】
上記無端状動伝ベルト２６はタイミングベルトであって、上記従動プーリ２５と駆動プーリ２７との各外周面には、上記無端状動伝ベルト２６の歯と互いに噛合する多数の歯が機械加工により形成されている。また、上記フライホイール２３は、フライホイールマグネト３３の構成部品とされている。
【００４６】
上記突出体２０において、上記突出端部側２１を除くクランク軸１７側である基部側３５に上記駆動プーリ２７が一体的に形成され、これにより、上記突出体２０の基部側３５に駆動プーリ２７が固着されている。そして、上記突出体２０の軸方向で、上記締結具２２におけるねじ孔３１およびボルト３２（特にねじ孔３１）と、駆動プーリ２７とはそれぞれのほぼ全体が互いに偏位させられている。
【００４７】
上記クランク軸１７に対し上記突出体２０は別体とされ、この突出体２０は上記クランク軸１７の他端部１９に対し固着具３７により固着されている。この固着具３７は締結具であって、上記軸心１６上に位置し、上記突出体２０からクランク軸１７側に向かって一体的に突設されるボルト３８を有している。このボルト３８は、上記軸心１６上で、上記クランク軸１７の他端部１９に形成されたねじ孔３９に螺合させられ、これにより、上記突出体２０が上記クランク軸１７の他端部１９に固着されている。
【００４８】
上記突出体２０の突出端部側２１は、上記基部側３５よりも径方向外方に突出するフランジ４１となるよう形成されている。そして、このフランジ４１に上記締結具２２によりフライホイール２３が固着されている。上記締結具２２のねじ孔３１の径方向のほぼ全体が、上記駆動プーリ２７の外周面よりも径方向外方に位置させられている。
【００４９】
上記クランク軸１７と、突出体２０および駆動プーリ２７の一体物２０，２７とは、それぞれ強度向上、海水に対する防錆、および無端状動伝ベルト２６に対する耐磨耗性のために表面処理がなされている。具体的には、上記クランク軸１７と一体物２０，２７とはそれぞれ炭素鋼製とされている。これらクランク軸１７と一体物２０，２７とを互いに組み付けた状態で、もしくは別体の状態で、まず、駆動プーリ２７のみの表面にメッキや熱処理が施される。そして、この後、上記クランク軸１７と一体物２０，２７とが一体的に、もしくは個別に窒化処理されている。
【００５０】
なお、図１中一点鎖線で示すように、上記固着具３７は、上記軸心１６上で突出体２０を貫通して上記ねじ孔３９に螺合するボルト４３を備えるものであってもよい。
【００５１】
上記構成によれば、突出体２０の軸方向で、上記締結具２２と駆動プーリ２７とを互いに偏位させている。
【００５２】
このため、上記突出体２０の軸方向で、上記締結具２２のねじ孔３１が存在している上記突出体２０の部分４４につき、所定の強度を確保しようとして、その外径寸法を大きくしたとしても、この突出体２０の部分４４に影響されることなく、上記駆動プーリ２７の外径寸法を定めることができる。よって、この駆動プーリ２７と、この駆動プーリ２７に無端状動伝ベルト２６を介し所定の減速比で連動させられる従動プーリ２５との各外径寸法をそれぞれ小さくさせることができる。この結果、エンジン１２の小型化と軽量化とができ、船外機５用のエンジン１２として極めて有益である。
【００５３】
また、上記突出体２０の基部側３５に上記駆動プーリ２７を一体的に形成している。
【００５４】
このため、上記駆動プーリ２７は突出体２０の基部側３５により、十分に補強される。よって、上記駆動プーリ２７の肉厚を小さくできるため、上記エンジン１２の小型化と軽量化とが、より確実に達成される。
【００５５】
また、上記突出体２０と駆動プーリ２７とを別体に構成していた従来の技術に比べて、エンジン１２の部品点数を少なくできる。よって、このエンジン１２の構成を簡単にすることができる。
【００５６】
また、前記したように、クランク軸１７に対し上記突出体２０を別体として、この突出体２０を上記クランク軸１７に固着している。
【００５７】
ここで、上記クランク軸１７の他端部１９や突出体２０の部分４４の外径寸法が、上記駆動プーリ２７の外径寸法よりも大きい場合において、この駆動プーリ２７の外面における各歯を回転工具などにより機械加工しようとすると、上記クランク軸１７の他端部１９や突出体２０の部分４４が上記工具の作動の邪魔になるおそれがある。
【００５８】
そこで、上記のようにクランク軸１７に対し突出体２０を別体としたのであって、上記機械加工は、上記クランク軸１７から突出体２０を離脱させた状態ですればよく、このようにすれば、上記機械加工は、少なくとも上記クランク軸１７が邪魔になるということを回避してすることができる。
【００５９】
よって、上記構成によれば、例えば、上記機械加工を可能とするために、突出体２０を軸方向に延長して、その延長部（後述する図３における符号４５に相当する）の径方向の外方に上記工具の作動空間を確保する、ということに比べ、上記突出体２０の長さを短く抑制できる。このため、エンジン１２が高くなって大型になるということや重くなるということを防止しつつ、上記機械加工が可能とされる。
【００６０】
また、前記したように、突出体２０の突出端部側２１をフランジ４１となるよう形成している。
【００６１】
このため、上記突出体２０の基部側３５やこの基部側３５に固着される駆動プーリ２７の外径寸法を小さくしたままで、上記突出体２０の突出端部側２１を所望の大きさのフランジ４１にすることができる。よって、エンジン１２の小型化かつ軽量化ができると共に、上記突出体２０の突出端部側２１に対するフライホイール２３の固着強度を十分に確保できる。
【００６２】
また、前記したように、締結具２２が、上記フランジ４１に形成されて上記軸心１６と平行に延びるねじ孔３１に対し螺合されるボルト３２を備え、上記ねじ孔３１の径方向のほぼ全体を上記駆動プーリ２７の外周面よりも径方向の外方に位置させている。
【００６３】
このため、回転工具であるドリルを用いて上記フランジ４１にねじ孔３１を貫通するよう機械加工する場合に、上記ドリルが上記駆動プーリ２７に干渉することは防止される。よって、上記機械加工が容易にできる。
【００６４】
また、前記したように、駆動プーリ２７が窒化処理されている。
【００６５】
このため、上記駆動プーリ２７の強度が向上させられる。よって、その分、この駆動プーリ２７の肉厚をより小さくできて、エンジン１２を、より小型化かつ軽量化できる。
【００６６】
なお、図１中三点鎖線で示すように、上記クランク軸１７の軸方向で、上記突出端部側２１の突出端が上記フライホイール２３を貫通して、このフライホイール２３の外面よりも外方に位置するようにしてもよい。
【００６７】
また、以上は図示によるが、上記固着具３７に関し、クランク軸１７と突出体２０とに対し図示とは逆にボルト３８とねじ孔３９とを設けるようにしてもよい。また、上記ボルト３８を圧入軸とし、ねじ孔３９を上記圧入軸を圧入させる圧入孔として、これらの圧入構造により、上記クランク軸１７に突出体２０を固着させてもよい。
【００６８】
以下の図３，４は、実施例２，３を示している。これら各実施例は、前記実施例１と構成、作用効果において多くの点で共通している。そこで、これら共通するものについては、図面に共通の符号を付してその重複した説明を省略し、異なる点につき主に説明する。また、これら各実施例における各部分の構成を、本発明の目的、作用効果に照らして種々組み合せてもよい。
【実施例２】
【００６９】
本発明をより詳細に説明するために、その実施例２を添付の図３に従って説明する。
【００７０】
図３において、上記クランク軸１７の他端部１９に対し、上記突出体２０は一体的に形成され、エンジン１２の部品点数が少なくされている。
【００７１】
上記突出体２０の突出端部側２１が軸方向に延長されて延長部４５が形成されている。この延長部４５の径方向外方に、上記駆動プーリ２７の外面における各歯の機械加工を可能にするための工具の作動空間が確保されている。このため、上記機械加工は、上記クランク軸１７の他端部１９や突出端部側２１のフランジ４１に邪魔されることなく容易にできる。
【００７２】
また、上記駆動プーリ２７における歯溝の径寸法は上記延長部４５の径寸法以上とされている。このため、上記各歯の機械加工において、工具が上記延長部４５の外周面に接触する、ということが防止されて、上記機械加工がより容易にできる。
【００７３】
また、上記延長部４５は、上記駆動プーリ２７よりも上記フランジ４１側に配置されている。このため、上記駆動プーリ２７とフランジ４１とは上記延長部４５を挟んで、より大きく離れることとなる。よって、上記駆動プーリ２７とフランジ４１における締結具２２のボルト３２とが互いに干渉し合うということが防止され、このボルト３２の長さの精度管理がし易くなる。
【実施例３】
【００７４】
本発明をより詳細に説明するために、その実施例３を添付の図４に従って説明する。
【００７５】
図４において、上記駆動プーリ２７は円環形状とされて、上記突出体２０の基部側３５に外嵌され、この基部側３５に締結具４７により固着されている。この締結具４７はボルト４８を備えている。このボルト４８は、上記駆動プーリ２７に形成されて上記軸心１６と平行に延びるボルト孔４９に挿通されて、上記突出体２０の突出端部側２１に形成されたねじ孔５０に螺合されている。上記駆動プーリ２７は焼結合金製とされている。
【００７６】
上記駆動プーリ２７の外面における各歯の機械加工をする場合には、上記クランク軸１７から突出体２０を離脱させると共に、この突出体２０から駆動プーリ２７を離脱させた状態で、上記機械加工をしてもよい。このようにすれば、この機械加工は、クランク軸１７と突出体２０の部分４４とが共に邪魔になるということを回避して、円滑にすることができる。
【００７７】
なお、以上は図示の例によるが、上記駆動プーリ２７に対し突出体２０の基部側３５を圧入して固着させてもよく、上記突出体２０の基部側３５の外周面に雄ねじを形成し、この基部側３５に上記駆動プーリ２７の内周面に形成した雌ねじを螺合させて、この駆動プーリ２７を固着させてもよい。
【図面の簡単な説明】
【００７８】
【図１】実施例１を示し、図２の部分拡大断面図である。
【図２】実施例１を示し、船外機の側面図である。
【図３】実施例２を示し、図１に相当する図である。
【図４】実施例３を示し、図１に相当する図である。
【符号の説明】
【００７９】
１    船
３    船体
４    船尾
５    船外機
６    船外機本体
７    ブラケット
９    ケース
１０  被動部
１２  エンジン
１５  クランクケース
１６  軸心
１７  クランク軸
１８  一端部
１９  他端部
２０  突出体
２１  突出端部側
２２  締結具
２３  フライホイール
２４  動弁機構
２５  従動プーリ
２６  無端状動伝ベルト
２７  駆動プーリ
３１  ねじ孔
３２  ボルト
３５  基部側
３７  固着具
３８  ボルト
３９  ねじ孔
４１  フランジ
４４  部分
【図１】
2007285177.tif 000003
【図２】
2007285177.tif 000004
【図３】
2007285177.tif 000005
【図４】
2007285177.tif 000006